(57)【要約】 【課題】画像サイズや画面上の位置の変更を施す映像信号の数を減らさず、モザイク等の機能を小規模な回路で実現する。【解決手段】２系統の映像信号を時間軸多重するマルチプレクサ３１と、多重信号中の２系統の映像信号に対しマスク信号を用いた合成処理を必要とする効果を施す第１のエフェクト手段１１，１２と、多重信号中の２系統の映像信号に対しマスク信号を用いた合成処理を必要としない効果を施す第２のエフェクト手段７５，７８と、第１のエフェクト手段を経た多重信号を２系統の映像信号の繰返し周期の１／２遅延させる遅延手段３２と、第１のエフェクト手段を経た多重信号と遅延手段で遅延した多重信号とを、マスク信号を用いて合成する合成手段１３と、合成手段及び第２のエフェクト手段を経た多重信号から２系統の映像信号を分離するデマルチプレクサ３３とを備える。【選択図】図１０
2008124749.tif 000002
【特許請求の範囲】
【請求項１】
２系統の回路ブロックで構成され、
各々の前記回路ブロックが、
映像信号に対して、マスク信号を用いた合成処理を必要とする効果を施すための第１のエフェクト手段と、
映像信号に対して、マスク信号を用いた合成処理を必要としない効果を施すための第２のエフェクト手段と
をそれぞれ備えるとともに、
少なくとも一方の前記回路ブロックが、
前記第１のエフェクト手段を経由した映像信号と、残りの一方の前記回路ブロック内の前記第１のエフェクト手段を経由した映像信号とを、マスク信号を用いて合成するための合成手段
を備えたことを特徴とする信号処理回路。
【請求項２】
請求項１に記載の信号処理回路において、
前記第１のエフェクト手段は、モザイク，デフォーカス，ポスタリゼーションのうちの少なくとも１つを施し、
前記第２のエフェクト手段は、画像サイズの変更，画面上の位置の変更のうちの少なくとも１つを施す
ことを特徴とする信号処理回路。
【請求項３】
２系統の回路ブロックで構成され、
各々の前記回路ブロックが、
映像信号に対して、マスク信号を用いた合成処理を必要とする効果を施すための第１のエフェクト手段と、
映像信号に対して、マスク信号を用いた合成処理を必要としない効果を施すための第２のエフェクト手段と
をそれぞれ備えるとともに、
少なくとも一方の前記回路ブロックが、
前記第１のエフェクト手段を経由した映像信号と、残りの一方の前記回路ブロック内の前記第１のエフェクト手段を経由した映像信号とを、マスク信号を用いて合成するための合成手段
を備えた信号処理回路と、
前記信号処理回路の各々の前記回路ブロックに、同じ映像信号を入力させるか別々の映像信号を入力させるかを選択的に切り替えるための選択回路と、
前記信号処理回路から出力された映像信号を、前景映像として背景映像に合成する合成回路と
を有することを特徴とする画像処理装置。
【請求項４】
請求項３に記載の画像処理装置において、
前記信号処理回路の前記第１のエフェクト手段は、モザイク，デフォーカス，ポスタリゼーションのうちの少なくとも１つを施し、
前記信号処理回路の前記第２のエフェクト手段は、画像サイズの変更，画面上の位置の変更のうちの少なくとも１つを施す
ことを特徴とする画像処理装置。
【請求項５】
２系統の映像信号を時間軸多重した多重信号を生成するマルチプレクサと、
前記多重信号中の前記２系統の映像信号に対して、それぞれマスク信号を用いた合成処理を必要とする効果を施すための第１のエフェクト手段と、
前記多重信号中の前記２系統の映像信号に対して、それぞれマスク信号を用いた合成処理を必要としない効果を施すための第２のエフェクト手段と、
前記第１のエフェクト手段を経由した多重信号を、前記多重信号における前記２系統の映像信号の多重単位時間だけ遅延させる遅延手段と、
前記第１のエフェクト手段を経由した多重信号と、前記第１のエフェクト手段を経由した後前記遅延手段によって遅延された多重信号とを、マスク信号を用いて合成するための合成手段と、
前記合成手段及び前記第２のエフェクト手段を経由した多重信号から、前記２系統の映像信号を分離するデマルチプレクサと
を備えたことを特徴とする信号処理回路。
【請求項６】
請求項５に記載の信号処理回路において、
前記第１のエフェクト手段は、モザイク，デフォーカス，ポスタリゼーションのうちの少なくとも１つを施し、
前記第２のエフェクト手段は、画像サイズの変更，画面上の位置の変更のうちの少なくとも１つを施す
ことを特徴とする信号処理回路。
【請求項７】
２系統の映像信号を時間軸多重した多重信号を生成するマルチプレクサと、
前記多重信号中の前記２系統の映像信号に対して、それぞれマスク信号を用いた合成処理を必要とする効果を施すための第１のエフェクト手段と、
前記多重信号中の前記２系統の映像信号に対して、それぞれマスク信号を用いた合成処理を必要としない効果を施すための第２のエフェクト手段と、
前記第１のエフェクト手段を経由した多重信号を、前記多重信号における前記２系統の映像信号の多重単位時間だけ遅延させる遅延手段と、
前記第１のエフェクト手段を経由した多重信号と、前記第１のエフェクト手段を経由した後前記遅延手段によって遅延された多重信号とを、マスク信号を用いて合成するための合成手段と、
前記合成手段及び前記第２のエフェクト手段を経由した多重信号から、前記２系統の映像信号を分離するデマルチプレクサと
を備えた信号処理回路と、
前記信号処理回路に、前記２系統の映像信号として同じ映像信号を入力させるか別々の映像信号を入力させるかを選択的に切り替えるための選択回路と、
前記信号処理回路から出力された映像信号を、前景映像として背景映像に合成する合成回路と
を有することを特徴とする画像処理装置。
【請求項８】
請求項７に記載の画像処理装置において、
前記信号処理回路の前記第１のエフェクト手段は、モザイク，デフォーカス，ポスタリゼーションのうちの少なくとも１つを施し、
前記信号処理回路の前記第２のエフェクト手段は、画像サイズの変更，画面上の位置の変更のうちの少なくとも１つを施す
ことを特徴とする画像処理装置。
【発明の詳細な説明】
【技術分野】
【０００１】
本発明は、マスク信号を用いた合成処理を必要とする効果を映像信号に施す信号処理回路及び画像処理装置に関する。
【背景技術】
【０００２】
テレビジョン番組等の映像コンテンツの制作分野では、画面を構成する主な映像である背景映像に、キーイングによって別の前景映像を合成することが一般的に行われている（例えば、特許文献１）。
【０００３】
図１は、このようにキーイングによって前景映像を合成する従来の画像処理装置の構成例を示すブロック図である。この画像処理装置は、テレビジョン放送局等に設置される映像切替用のスイッチャーの一部を成しているミックスエフェクト部５２であり、スイッチャーに入力する複数系統の映像信号ＶｉｄｅｏＩｎ１〜Ｎのうち、クロスポイント部（任意の１系統の入力映像信号を選択するスイッチの集合）５１でキーイングのために選択された信号Ｋｅｙ１〜４が、ミックスエフェクト部５２内のキーヤー５３〜５６に送られる。信号Ｋｅｙ１〜４は、各々が、前景映像である映像信号と、前景映像と背景映像との合成比率である濃度（アルファ）を示すキー信号とを含んでいる。  
【０００４】
また、クロスポイント部５１で背景映像として選択された映像信号ＢＫＧＤ_Ａ及びＢＫＧＤ_Ｂが、ミックスエフェクト部５２内のミキサー６５に送られる。
【０００５】
キーヤー５３〜５６は、互いに同一の回路であり、信号Ｋｅｙ１〜４に対し、キー信号の濃度の調整や、前景映像と背景映像との境界線の調整等を行う。キーヤー５３〜５６で調整された信号Ｋｅｙ１〜４は、リサイザ５７〜６０及び２入力１出力のスイッチ６１〜６４の一方の入力端に送られる。
【０００６】
リサイザ５７〜６０は、互いに同一の回路であり、信号Ｋｅｙ１〜４に対して、画像サイズの変更処理や、画面上の位置の変更処理を施す。図２は、リサイザ５７〜６０の構成例を示すブロック図である。リサイザ５７〜６０にそれぞれ入力した信号Ｋｅｙ１〜４は、アンチエイリアス用ＬＰＦ（ローパスフィルタ）７１を経て、ＨＶスキャンコンバータ７２によって外部メモリ７３を用いて走査方向を水平方向から垂直方向に変換され、さらにアンチエイリアス用ＬＰＦ７４を経て、垂直方向移動・縮小回路７５で垂直方向の移動・縮小処理を施される。そして、ＶＨスキャンコンバータ７６によって外部メモリ７７を用いて走査方向を垂直方向から水平方向に戻され、水平方向移動・縮小回路７８で水平方向の移動・縮小処理を施されて、リサイザ５７〜６０から出力される。
【０００７】
図１に示すように、リサイザ５７〜６０から出力された信号Ｋｅｙ１〜４は、スイッチ６１〜６４の残りの一方の入力端に送られる。そして、スイッチ６１〜６４で選択された信号（画像サイズや画面上の位置を変更しない信号Ｋｅｙ１〜４か、あるいは画像サイズや画面上の位置を変更した信号Ｋｅｙ１〜４）が、ミキサー６５に送られる。
【０００８】
ミキサー６５は、背景映像である映像信号ＢＫＧＤ_Ａ及びＢＫＧＤ_Ｂにトランジション（出力する背景映像を、映像信号ＢＫＧＤ_Ａから映像信号ＢＫＧＤ_Ｂに遷移させる処理）を施すとともに、信号Ｋｅｙ１〜４を用いて、背景映像に前景映像を合成する回路である。ミキサー６５の処理を経た映像信号は、ミックスエフェクト部５２から出力されて、モニター（図示略）に表示されたり、映像記録機器や番組送出用の機器等（図示略）に送られる。
【０００９】
図３は、このミックスエフェクト部５２から出力されてモニター表示される映像を例示する図である。図３（ａ）は、トランジションを施される前の背景映像ＢＫＧＤ_Ａに、信号Ｋｅｙ１中の映像信号と、信号Ｋｅｙ２中の映像信号とが前景映像として合成された例を示す。図３（ｂ）は、トランジションを施された後の背景映像ＢＫＧＤ_Ｂに、信号Ｋｅｙ３中の映像信号と、信号Ｋｅｙ４中の映像信号とが前景映像として合成された例を示す。
【００１０】
【特許文献１】特開２００２−１８５８５１号公報
【発明の開示】
【発明が解決しようとする課題】
【００１１】
ところで、近年、この図１に示したようなミックスエフェクト部内のリサイザには、図２を用いて説明した基本機能である画像サイズや画面上の位置の変更機能に加えて、モザイク（映像信号のサンプリング間隔を広げる処理），デフォーカス（画像の空間周波数を落とす処理），ポスタリゼーション（色の階調数を落とす処理）といった効果の機能も要求されるようになってきた。例えば、図４に示すように、ニュース番組において、ニュースキャスターの背景映像ＢＫＧＤに、事件の当事者の写真を前景映像Ｋｅｙとして合成し、この写真にたまたま当事者と一緒に写っており事件とは無関係な別の人物の顔（図の斜線の部分）Ｆａｃｅに、個人情報保護等の目的でモザイクをかけるといった具合である。
【００１２】
図５は、図２に示した構成の個々のリサイザに、このモザイク，デフォーカス，ポスタリゼーション（以下単にモザイク等とも呼ぶ）のための回路を追加した例を示すブロック図であり、図２と同一の回路に同一符号を付すとともに、新たに追加した回路には斜線または斜め十字線を付している。
【００１３】
画像サイズや画面上の位置の変更が画面全体を対象とする効果であるのに対し、モザイク等は画面の一部のみを対象とする効果であり、画面全体にモザイク等を施した映像信号と、モザイク等を施さない映像信号とを、マスク信号を用いて合成する必要がある。図６は、マスク信号を用いた合成の様子を例示する図である。マスク信号の内側の部分（モザイク等を施した映像信号の合成比率が１である部分であり、図では斜線を付している）ではモザイク等を施した映像信号を出力し、マスク信号の外側の部分（モザイク等を施した映像信号の合成比率が０である部分）ではモザイク等を施さない映像信号を出力することにより、マスク信号の内側の部分のみにモザイク等がかかった合成映像信号が生成される。
【００１４】
図５で追加した回路のうち、斜線を付した回路である水平方向モザイク等回路（画面の水平方向にモザイクやデフォーカスやポスタリゼーションを施す回路）８１，垂直方向モザイク等回路（画面の垂直方向にモザイクやデフォーカスやポスタリゼーションを施す回路）８２及び合成回路（マスク信号を用いて２つの信号を合成する回路）８３は、画面全体にモザイク等を施したり、マスク信号を用いて合成を行う回路である。
【００１５】
また、図５で追加した回路のうち、斜め十字線を付した回路である遅延回路８４，アンチエイリアス用ＬＰＦ８５，ＨＶスキャンコンバータ８６，外部メモリ８７，遅延回路８８及びアンチエイリアス用ＬＰＦ８９は、モザイク等を施さない信号を通過させる（モザイク等を施された信号とタイミングを揃えて合成回路８３に供給する）回路である。
【００１６】
ところが、この図５のように個々のリサイザにモザイク等の機能を搭載することには、次の（１）〜（４）のような不都合がある。
【００１７】
（１）モザイク等を施さない信号を通過させるために追加する回路のうち、アンチエイリアス用ＬＰＦ８５は回路規模が大きいので、図５の破線の内側の部分を１個のＦＰＧＡ（プログラム可能なＬＳＩ）またはＡＳＩＣ（特定用途向け集積回路）で作成する場合、ＦＰＧＡやＡＳＩＣのシリーズを１ランク上げる必要が発生し、コストを一挙に押し上げることがある。
【００１８】
（２）図５の破線の内側の部分を１個のＦＰＧＡまたはＡＳＩＣで作成して、モザイク等を施さない信号を通過させるためにスキャンコンバータ８６用の外部メモリ８７を追加する場合、ＦＰＧＡやＡＳＩＣのピンを多数使用するので、１ランク上のパッケージを使用する必要が発生し、パッケージの面でも大きなコストアップとなる。更に、パッケージが大きくなると、上記（１）の点ではリソース的に足りていても、シリーズが１ランク上がることがある。
【００１９】
（３）外部メモリ８７を追加することにより、回路規模が大きくなり、基板設計の面でも配線への負荷や小型化への障害等が発生する。
【００２０】
（４）合成回路８３では、モザイク等を施した映像信号とモザイク等を施さない映像信号とがマスク信号を用いて合成されるので、マスク信号の内側の部分と外側の部分とにそれぞれモザイク等をかける（例えば、マスク信号の内側の部分にはモザイクをかけマスク信号の外側の部分にはデフォーカスをかける）といったようなより複雑な効果をかけることができない。
【００２１】
なお、図５のように個々のリサイザにモザイク等の機能を搭載することには、全ての系統の前景映像にモザイク等を施すことができるので、モザイク等をかけた前景映像を同時に多数の系統（図１のようにキーヤーが４個である場合には同時に４系統）背景映像に合成することができるというメリットはある。
【００２２】
しかし、映像中でモザイクをかける箇所は、通常は、図４にも例示したように１箇所であるか、あるいは多くても２箇所程度である（モザイクのかかった映像が多数表示されても、視聴者は、どの映像に注目すべきかわからなくなる）。したがって、リサイザにモザイク等の機能を搭載する場合、現実には、ミックスエフェクト部全体で１系統または２系統の前景映像にモザイク等を施すことができれば十分である。
【００２３】
すなわち、ミックスエフェクト部では、画像サイズや画面上の位置の変更は、よく使われる機能であり多数の系統（図１では４系統）の前景映像に施すことが求められるが、モザイク等を施す前景映像の系統数は少なくても問題ない。
【００２４】
本発明は、上述の点に鑑み、画像サイズや画面上の位置の変更のような、画面全体を対象とする効果を施すことのできる映像信号の系統数を減らすことなく、モザイク等の画面の一部のみを対象とする効果を映像信号に施す機能を小規模な回路で実現し、しかもより複雑な効果をかけることを課題とする。
【課題を解決するための手段】
【００２５】
上記課題を解決するために、本発明に係る第１の信号処理回路は、
２系統の回路ブロックで構成され、
各々の前記回路ブロックが、
映像信号に対して、マスク信号を用いた合成処理を必要とする効果を施すための第１のエフェクト手段と、
映像信号に対して、マスク信号を用いた合成処理を必要としない効果を施すための第２のエフェクト手段と
をそれぞれ備えるとともに、
少なくとも一方の前記回路ブロックが、
前記第１のエフェクト手段を経由した映像信号と、残りの一方の前記回路ブロック内の前記第１のエフェクト手段を経由した映像信号とを、マスク信号を用いて合成するための合成手段
を備えたことを特徴とする。
【００２６】
この信号処理回路は、マスク信号を用いた合成処理を必要とする効果（すなわち、例えばモザイク等のような、画面の一部を対象とする効果）を施す際には、２系統の回路ブロックに同じ映像信号を入力させ、第１のエフェクト手段及び合成手段を動作させることにより、２系統の回路ブロックが協働して、１系統の映像信号に、画面の一部を対象とする効果をかけることができる。
【００２７】
これらの回路ブロックは、１個の回路ブロックのみで画面の一部を対象とする効果を施す場合と異なり、画面の一部を対象とする効果を施さない映像信号を通過させる回路は必要ないので、回路規模が小さくて済む。
【００２８】
また、このとき、２系統の回路ブロックの第１のエフェクト手段でそれぞれこの同じ映像信号に効果を施すことにより、マスク信号の内側の部分と外側の部分とにそれぞれ画面の一部を対象とする効果をかけるといった、より複雑な効果をかけることができる。
【００２９】
そして、この信号処理回路は、マスク信号を用いた合成処理を必要としない効果（すなわち、例えば画像サイズや画面上の位置の変更のような、画面全体を対象とする効果）を施す際には、２系統の回路ブロックに別々の映像信号を入力させ、第２のエフェクト手段を動作させるとともに第１のエフェクト手段及び合成手段を動作させない（映像信号をそのまま通過させる）ことにより、２系統の回路ブロックで、それぞれ別々の映像信号に、画面全体を対象とする効果をかけることができる。
【００３０】
これにより、画面全体を対象とする効果を施すことのできる映像信号の系統数を減らすことなく、画面の一部のみを対象とする効果を映像信号に施す機能を小規模な回路で実現し、しかもより複雑な効果をかけることができる。
【００３１】
次に、本発明に係る第１の画像処理装置は、
２系統の回路ブロックで構成され、
各々の前記回路ブロックが、
映像信号に対して、マスク信号を用いた合成処理を必要とする効果を施すための第１のエフェクト手段と、
映像信号に対して、マスク信号を用いた合成処理を必要としない効果を施すための第２のエフェクト手段と、
をそれぞれ備えるとともに、
少なくとも一方の前記回路ブロックが、
前記第１のエフェクト手段を経由した映像信号と、残りの一方の前記回路ブロック内の前記第１のエフェクト手段を経由した映像信号とを、マスク信号を用いて合成するための合成手段
を備えた信号処理回路と、
前記信号処理回路の各々の前記回路ブロックに、同じ映像信号を入力させるか別々の映像信号を入力させるかを選択的に切り替えるための選択回路と、
前記信号処理回路から出力された映像信号を、前景映像として背景映像に合成する合成回路と
を有することを特徴とする。
【００３２】
この画像処理装置は、前述の本発明に係る第１の信号処理回路と、この信号処理回路の２系統の回路ブロックに同じ映像信号を入力させるか別々の映像信号を入力させるかを選択的に切り替えるための選択回路と、この信号処理回路の出力映像信号を前景映像として背景映像に合成する合成回路とを設けたものであり、画面全体を対象とする効果を施すことのできる映像信号（前景映像）の系統数を減らすことなく、画面の一部のみを対象とする効果を映像信号（前景映像）に施す機能を小規模な回路で実現し、しかもより複雑な効果をかけることができる。
【００３３】
次に、本発明に係る第２の信号処理回路は、
２系統の映像信号を時間軸多重した多重信号を生成するマルチプレクサと、
前記多重信号中の前記２系統の映像信号に対して、それぞれマスク信号を用いた合成処理を必要とする効果を施すための第１のエフェクト手段と、
前記多重信号中の前記２系統の映像信号に対して、それぞれマスク信号を用いた合成処理を必要としない効果を施すための第２のエフェクト手段と、
前記第１のエフェクト手段を経由した多重信号を、前記多重信号における前記２系統の映像信号の多重単位時間だけ遅延させる遅延手段と、
前記第１のエフェクト手段を経由した多重信号と、前記第１のエフェクト手段を経由した後前記遅延手段によって遅延された多重信号とを、マスク信号を用いて合成するための合成手段と、
前記合成手段及び前記第２のエフェクト手段を経由した多重信号から、前記２系統の映像信号を分離するデマルチプレクサと
を備えたことを特徴とする。
【００３４】
この信号処理回路は、前述の本発明に係る第１の信号処理回路と全く同じ処理を、高速に動作する１系統の回路で実行させるようにしたものであり、回路規模を一層小さくすることができる。
【００３５】
次に、本発明に係る第２の画像処理装置は、
２系統の映像信号を時間軸多重した多重信号を生成するマルチプレクサと、
前記多重信号中の前記２系統の映像信号に対して、それぞれマスク信号を用いた合成処理を必要とする効果を施すための第１のエフェクト手段と、
前記多重信号中の前記２系統の映像信号に対して、それぞれマスク信号を用いた合成処理を必要としない効果を施すための第２のエフェクト手段と、
前記第１のエフェクト手段を経由した多重信号を、前記多重信号における前記２系統の映像信号の多重単位時間だけ遅延させる遅延手段と、
前記第１のエフェクト手段を経由した多重信号と、前記第１のエフェクト手段を経由した後前記遅延手段によって遅延された多重信号とを、マスク信号を用いて合成するための合成手段と、
前記合成手段及び前記第２のエフェクト手段を経由した多重信号から、前記２系統の映像信号を分離するデマルチプレクサと
を備えた信号処理回路と、
前記信号処理回路に、前記２系統の映像信号として同じ映像信号を入力させるか別々の映像信号を入力させるかを選択的に切り替えるための選択回路と、
前記信号処理回路から出力された映像信号を、前景映像として背景映像に合成する合成回路と
を有することを特徴とする。
【００３６】
この画像処理装置は、前述の本発明に係る第２の信号処理回路と、この信号処理回路に２系統の映像信号として同じ映像信号を入力させるか別々の映像信号を入力させるかを選択的に切り替えるための選択回路と、この信号処理回路の出力映像信号を前景映像として背景映像に合成する合成回路とを設けたものであり、前述の本発明に係る第１の画像処理装置よりも、回路規模を一層小さくすることができる。
【発明の効果】
【００３７】
本発明によれば、画面全体を対象とする効果を施すことのできる映像信号の系統数を減らすことなく、画面の一部のみを対象とする効果を映像信号に施す機能を小規模な回路で実現し、しかもより複雑な効果をかけることができるという効果が得られる。
【００３８】
また、本発明に係る第２の信号処理回路，画像処理装置によれば、本発明に係る第１の信号処理回路，画像処理装置よりも回路規模を一層小さくすることができるという効果が得られる。
【発明を実施するための最良の形態】
【００３９】
≪本発明を適用した第１のミックスエフェクト部の例≫
以下、映像切替用のスイッチャーの一部を成すミックスエフェクト部に本発明を適用した例について、図面を用いて具体的に説明する。最初に、本発明に係る第１の信号処理回路，画像処理装置を適用した第１のミックスエフェクト部について説明する。
【００４０】
図７は、この第１のミックスエフェクト部１の構成例を示すブロック図であり、スイッチャーのクロスポイント部（任意の１系統の入力映像信号を選択するスイッチの集合）５１とミックスエフェクト部１内のキーヤー５３〜５６，スイッチ６１〜６４，ミキサー６５とは、図１と同一構成なので同一符号を付している。
【００４１】
スイッチャーに入力する複数系統の映像信号ＶｉｄｅｏＩｎ１〜Ｎのうち、クロスポイント部５１でキーイングのために選択された信号Ｋｅｙ１〜４が、ミックスエフェクト部１内のキーヤー５３〜５６に送られる。信号Ｋｅｙ１〜４は、各々が、前景映像である映像信号と、前景映像と背景映像との合成比率である濃度（アルファ）を示すキー信号とを含んでいる。  
【００４２】
また、クロスポイント部５１で背景映像として選択された映像信号ＢＫＧＤ_Ａ及びＢＫＧＤ_Ｂが、ミックスエフェクト部１内のミキサー６５に送られる。
【００４３】
キーヤー５３〜５６は、互いに同一の回路であり、信号Ｋｅｙ１〜４に対し、キー信号の濃度の調整や、前景映像と背景映像との境界線の調整等を行う。キーヤー５３〜５６で調整された信号Ｋｅｙ１〜４は、２入力１出力のスイッチ６１〜６４の一方の入力端に送られる。また、ここでは、キーヤー５３，５４から、信号Ｋｅｙ１，２が２入力２出力のセレクタ２の一方ずつの入力端に送られ、キーヤー５５，５６から、信号Ｋｅｙ３，４が２入力２出力のセレクタ３の一方ずつの入力端に送られる。
【００４４】
セレクタ２の各出力端からは、２系統の回路ブロック４ａ及び４ｂで構成されるリサイザ４の一方ずつの回路ブロックに信号が送られる。また、セレクタ３の各出力端からは、２系統の回路ブロック５ａ及び５ｂで構成されるリサイザ５の一方ずつの回路ブロックに信号が送られる。
【００４５】
リサイザ４，５は、互いに同一の回路である。図８は、代表的にリサイザ４の構成例を示すブロック図であり、各回路ブロック４ａ，４ｂにおいて、図２に示した従来のリサイザと共通して設けられる回路には同一符号を付すとともに、図２のリサイザに対して新たに追加した回路には斜線を付している。破線の内側の部分は、それぞれ１個のＦＰＧＡまたはＡＳＩＣで作成されている。
【００４６】
セレクタ２の一方の出力端から回路ブロック４ａに送られた信号（信号Ｋｅｙ１か信号Ｋｅｙ２かのいずれか）は、水平方向モザイク等回路（画面の水平方向にモザイクやデフォーカスやポスタリゼーションを施す回路）１１、アンチエイリアス用ＬＰＦ７１、ＨＶスキャンコンバータ７２及び外部メモリ７３、垂直方向モザイク等回路（画面の垂直方向にモザイクやデフォーカスやポスタリゼーションを施す回路）１２、アンチエイリアス用ＬＰＦ７４、合成回路（マスク信号を用いて２つの信号を合成する回路）１３、垂直方向移動・縮小回路７５、ＶＨスキャンコンバータ７６及び外部メモリ７７、水平方向移動・縮小回路７８を順に経て、回路ブロック４ａから出力される。
【００４７】
セレクタ２のもう一方の出力端から回路ブロック４ｂに送られた信号（信号Ｋｅｙ１か信号Ｋｅｙ２かのいずれか）は、水平方向モザイク等回路１４、アンチエイリアス用ＬＰＦ７１、ＨＶスキャンコンバータ７２及び外部メモリ７３、垂直方向モザイク等回路１５、アンチエイリアス用ＬＰＦ７４を順に経た後、回路ブロック４ａ内の合成回路１３に送られるとともに、垂直方向移動・縮小回路７５、ＶＨスキャンコンバータ７６及び外部メモリ７７、水平方向移動・縮小回路７８を順に経由する。
【００４８】
これらの回路ブロック４ａ，４ｂは、それぞれ、図２に示した従来のリサイザに対して、モザイク等を施さない信号を通過させるための回路（図５に斜め十字線を付して示したような、アンチエイリアス用ＬＰＦや外部メモリといった回路規模の増大につながる回路）は追加されておらず、また、水平方向モザイク等回路１１，１４や垂直方向モザイク等回路１２，１５や合成回路１３の回路規模は小さいので、小規模な回路になっている。また、外部メモリを追加しないことから、図５に示したリサイザと比較して、基板設計の面で配線への負荷も発生しない。
【００４９】
また、回路ブロック４ｂから回路ブロック４ａ内の合成回路１３に信号（信号Ｋｅｙ１か信号Ｋｅｙ２かのいずれか）を送るが、これはシリアル伝送によって可能であり、ピン数の増加は少ない、また、回路ブロック４ａと回路ブロック４ｂとの両方（すなわちリサイザ４全体）を１個のＦＰＧＡまたはＡＳＩＣで作成することも可能であり、その場合にはＦＰＧＡやＡＳＩＣの内部のみでこのシリアル伝送のための配線を行えば足りる。
【００５０】
図７に示すように、リサイザ４の回路ブロック４ａ，４ｂから出力された信号は、スイッチ６１，６２の残りの一方の入力端に送られる。同様にして、リサイザ５の回路ブロック５ａ，５ｂから出力された信号は、スイッチ６３，６４の残りの一方の入力端に送られる。そして、スイッチ６１〜６４で選択された信号が、ミキサー６５に送られる。
【００５１】
ミキサー６５は、背景映像である映像信号ＢＫＧＤ_Ａ及びＢＫＧＤ_Ｂにトランジション（出力する背景映像を、映像信号ＢＫＧＤ_Ａから映像信号ＢＫＧＤ_Ｂに遷移させる処理）を施すとともに、信号Ｋｅｙ１〜４を用いて、背景映像に前景映像を合成する回路である。ミキサー６５の処理を経た映像信号は、ミックスエフェクト部１から出力されて、モニター（図示略）に表示されたり、映像記録機器や番組送出用の機器等（図示略）に送られる。
【００５２】
次に、このミックスエフェクト部１において、リサイザ４やリサイザ５でモザイク等を施す場合の処理と、リサイザ４やリサイザ５でモザイク等を施さずに画像サイズや画面上の位置を変更する場合の処理とを、代表的にリサイザ４について説明する。なお、以下に説明する処理は、スイッチャーに付属した操作パネルの操作に基づき、スイッチャー内のマイクロコンピュータがミックスエフェクト部１内の各部を制御することによって実行されるものであるが、操作パネルでの操作方法自体には特徴はないので、その図示等は省略する。
【００５３】
<モザイク等を施す場合>
リサイザ４でモザイク等を施す場合には、セレクタ２で、２つの出力端から出力する信号として、同じ信号（キーヤー５３からの信号Ｋｅｙ１か、キーヤー５４からの信号Ｋｅｙ２のいずれか一方のみ）を選択する。これにより、リサイザ４の回路ブロック４ａ，４ｂには、同じ信号が送られる。なお、以下では、セレクタ２で信号Ｋｅｙ１を選択したものとして説明を行うが、信号Ｋｅｙ２を選択した場合でも処理は同様である。
【００５４】
回路ブロック４ａに送られた信号Ｋｅｙ１は、水平方向モザイク等回路１１によってモザイク，デフォーカスまたはポスタリゼーション（操作パネルで指定された効果であり、信号Ｋｅｙ１中の映像信号のみに効果を施すか映像信号及びキー信号の両方に効果を施すかも、効果の種類等に応じて操作パネルで任意に指定される）を水平方向に施され、アンチエイリアス用ＬＰＦ７１を経て、ＨＶスキャンコンバータ７２によって外部メモリ７３を用いて走査方向を水平方向から垂直方向に変換され、垂直方向モザイク等回路１２によって水平方向モザイク等回路１１と同じ効果を垂直方向に施され、さらにアンチエイリアス用ＬＰＦ７４を経て、合成回路１３に送られる。
【００５５】
回路ブロック４ｂに送られた信号Ｋｅｙ１は、水平方向モザイク等回路１４によってモザイク，デフォーカスまたはポスタリゼーション（回路ブロック４ａとは独立して操作パネルで指定された効果）を水平方向に施され、アンチエイリアス用ＬＰＦ７１を経て、ＨＶスキャンコンバータ７２によって外部メモリ７３を用いて走査方向を水平方向から垂直方向に変換され、垂直方向モザイク等回路１５によって水平方向モザイク等回路１４と同じ効果を垂直方向に施され、さらにアンチエイリアス用ＬＰＦ７４を経て、回路ブロック４ａの合成回路１３に送られる。
【００５６】
回路ブロック４ａの合成回路１３は、回路ブロック４ａ内のアンチエイリアス用ＬＰＦ７４からの信号Ｋｅｙ１と、回路ブロック４ｂ内のアンチエイリアス用ＬＰＦ７４からの信号Ｋｅｙ１とを、マスク信号を用いて合成する。すなわち、マスク信号の内側の部分（回路ブロック４ａ内のＬＰＦ７４からの信号の合成比率が１である部分）では、回路ブロック４ａ内のＬＰＦ７４からの信号を出力し、マスク信号の外側の部分（回路ブロック４ａ内のＬＰＦ７４からの信号の合成比率が０である部分）では、回路ブロック４ｂ内のＬＰＦ７４からの信号を出力する。マスク信号の内側の部分の大きさや形状は操作パネルで指定されるが、指定された大きさや形状のマスク信号を発生する処理は、合成回路１３内で行ってもよいし、あるいは外部のパターンジェネレータで行う（このパターンジェネレータから合成回路１３にマスク信号を供給する）ようにしてもよい。
【００５７】
合成回路１３で合成された信号Ｋｅｙ１は、垂直方向移動・縮小回路７５を経由し（操作パネルで指定された場合には、移動・縮小処理を施され）、ＶＨスキャンコンバータ７６によって外部メモリ７７を用いて走査方向を垂直方向から水平方向に戻され、水平方向移動・縮小回路７８を経由し（操作パネルで指定された場合には、移動・縮小処理を施され）、回路ブロック４ａからスイッチ６１に送られる。
【００５８】
他方、回路ブロック４ｂは、モザイク等を施す場合には、アンチエイリアス用ＬＰＦ７４から垂直方向移動・縮小回路７５に送られた信号Ｋｅｙ１を、外部に出力しない(したがってスイッチ６２に送らない)。
【００５９】
スイッチ６１，６２は、それぞれ回路ブロック４ａ，４ｂ側の信号を選択してミキサー６５に送る。回路ブロック４ｂ側は無信号なので、スイッチ６１だけからミキサー６５に信号Ｋｅｙ１が送られることになる。
【００６０】
ミキサー６５は、このスイッチ６１からの信号Ｋｅｙ１を用いて、背景映像に前景映像を合成する。
【００６１】
このように、リサイザ４の回路ブロック４ａと回路ブロック４ｂとが協働して同じ信号Ｋｅｙ１を処理することにより、モザイクやデフォーカスやポスタリゼーションをかけた１系統の前景映像が、背景映像に合成される。
【００６２】
また、回路ブロック４ａ内の水平方向モザイク等回路１１及び垂直方向モザイク等回路１２と回路ブロック４ｂ内の水平方向モザイク等回路１４及び垂直方向モザイク等回路１５とでそれぞれ同じ信号Ｋｅｙ１に効果を施すことにより、マスク信号の内側の部分と外側の部分とにそれぞれモザイクやデフォーカスやポスタリゼーションをかける（例えば、マスク信号の内側の部分にはモザイクをかけマスク信号の外側の部分にはデフォーカスをかける）といったようなより複雑な効果をかけた前景映像を、背景映像に合成することができる。
【００６３】
ここではリサイザ４について説明したが、リサイザ５についても同じ処理を行うことにより、それぞれモザイクやデフォーカスやポスタリゼーションをかけた２系統の前景映像を、背景映像に合成することができる。
【００６４】
<モザイク等を施さず画像サイズや画面上の位置を変更する場合>
リサイザ４でモザイク等を施さず画像サイズや画面上の位置を変更する場合には、セレクタ２で、２つの出力端から出力する信号として、キーヤー５３からの信号Ｋｅｙ１と、キーヤー５４からの信号Ｋｅｙ２との一方ずつを選択する。これにより、リサイザ４の回路ブロック４ａ，４ｂには、別々の信号が送られる。なお、以下では、回路ブロック４ａには信号Ｋｅｙ１を送って回路ブロック４ｂには信号Ｋｅｙ２を送るような選択を行ったものとして説明を行うが、回路ブロック４ａに信号Ｋｅｙ２を送って回路ブロック４ｂに信号Ｋｅｙ１を送るような選択を行った場合でも処理は同様である。
【００６５】
モザイク等を施さない場合、回路ブロック４ａでは、水平方向モザイク等回路１１，垂直方向モザイク等回路１２及び合成回路１３が、本来の動作を行わず、入力した信号（合成回路１３では回路ブロック４ａ内のアンチエイリアス用ＬＰＦ７４からの信号）をそのまま通過させる状態にされる。また、回路ブロック４ｂでも、水平方向モザイク等回路１４及び垂直方向モザイク等回路１５が、本来の動作を行わず、入力した信号をそのまま通過させる状態にされる。
【００６６】
回路ブロック４ａに送られた信号Ｋｅｙ１は、水平方向モザイク等回路１１及びアンチエイリアス用ＬＰＦ７１を経て、ＨＶスキャンコンバータ７２によって外部メモリ７３を用いて走査方向を水平方向から垂直方向に変換され、垂直方向モザイク等回路１２，アンチエイリアス用ＬＰＦ７４及び合成回路１３を経て、垂直方向移動・縮小回路７５で垂直方向の移動・縮小処理を施される。そして、ＶＨスキャンコンバータ７６によって外部メモリ７７を用いて走査方向を垂直方向から水平方向に戻され、水平方向移動・縮小回路７８で水平方向の移動・縮小処理を施されて、回路ブロック４ａからスイッチ６１に送られる。
【００６７】
回路ブロック４ｂに送られた信号Ｋｅｙ２は、水平方向モザイク等回路１４及びアンチエイリアス用ＬＰＦ７１を経て、ＨＶスキャンコンバータ７２によって外部メモリ７３を用いて走査方向を水平方向から垂直方向に変換され、垂直方向モザイク等回路１５及びアンチエイリアス用ＬＰＦ７４を経て、垂直方向移動・縮小回路７５で垂直方向の移動・縮小処理を施される。そして、ＶＨスキャンコンバータ７６によって外部メモリ７７を用いて走査方向を垂直方向から水平方向に戻され、水平方向移動・縮小回路７８で水平方向の移動・縮小処理を施されて、回路ブロック４ｂからスイッチ６２に送られる。
【００６８】
スイッチ６１，６２は、それぞれ回路ブロック４ａ，４ｂ側の信号を選択してミキサー６５に送る。
【００６９】
ミキサー６５は、スイッチ６１からの信号Ｋｅｙ１を用いて背景映像に前景映像を合成するとともに、スイッチ６２からの信号Ｋｅｙ２を用いて背景映像に前景映像を合成する。
【００７０】
このように、リサイザ４の回路ブロック４ａ，４ｂが別々の信号Ｋｅｙ１，Ｋｅｙ２を処理することにより、モザイク等を施さずに画像サイズや画面上の位置を変更した２系統の前景映像が、背景映像に合成される。
【００７１】
ここではリサイザ４について説明したが、リサイザ５についても同じ処理を行うことにより、モザイク等を施さずに画像サイズや画面上の位置を変更した４系統の前景映像を、背景映像に合成することができる。
【００７２】
以上に説明したように、このミックスエフェクト部１では、画面の一部を対象とする効果であるモザイク等を前景映像に施す際には、リサイザ４の２系統の回路ブロック４ａ，４ｂやリサイザ５の２系統の回路ブロック５ａ，５ｂに同じ信号を入力させて、前景映像にモザイク等を施すことができる。
【００７３】
これらの回路ブロックは、１個の回路ブロックのみでモザイク等を施す場合と異なり、モザイク等を施さない信号を通過させる回路（図５に斜め十字線を付して示した回路）は必要ないので、回路規模が小さくて済む。
【００７４】
また、マスク信号の内側の部分と外側の部分とにそれぞれモザイク，デフォーカスまたはポスタリゼーションをかけるといった、より複雑な効果をかけることができる。
【００７５】
そして、画面全体を対象とする効果である画像サイズや画面上の位置の変更を前景映像に施す際には、リサイザ４，５の各回路ブロック４ａ，４ｂ，５ａ，５ｂにそれぞれ別々の信号を入力させて、４系統（図１に示したミックスエフェクト部５２と同じ系統数）の前景映像の画像サイズや画面上の位置を変更することができる。
【００７６】
これにより、よく使われる機能である画像サイズや画面上の位置の変更を施すことのできる前景映像の系統数を減らすことなく、前景映像にモザイク等を施す機能を小規模な回路で実現し、しかもより複雑な効果をかけることができる。
【００７７】
また、モザイク等を施すことのできる前景映像の系統数は本例のようにキーヤーが４個である場合は最大で２系統（リサイザ４，５でそれぞれ１系統ずつ）であるが、〔発明が解決しようとする課題〕欄で述べたように、ミックスエフェクト部全体で１系統または２系統の前景映像にモザイク等を施すことができれば十分なので、機能と系統数とのバランスがとれたミックスエフェクト部が実現されている。
【００７８】
なお、図８に示したリサイザ４の構成例では、回路ブロック４ａ，４ｂのうちの回路ブロック４ａのみに合成回路１３を設けているが、回路ブロック４ｂにもアンチエイリアス用ＬＰＦ７４の後段に合成回路１３を設け、回路ブロック４ａのアンチエイリアス用ＬＰＦ７４からも回路ブロック４ｂのこの合成回路１３に信号が送られる（すなわち、回路ブロック４ａと回路ブロック４ｂと全く同一構成にする）ようにしてもよい。それにより、モザイク等を施した前景映像を、回路ブロック４ａ，４ｂのうちのいずれから出力してミキサー６５に送るかを選択することができるようになる。
【００７９】
≪本発明を適用した第２のミックスエフェクト部の例≫
次に、本発明に係る第２の信号処理回路，画像処理装置を適用した第２のミックスエフェクト部について説明する。
【００８０】
図９は、この第２のミックスエフェクト部１の構成例を示すブロック図であり、スイッチャーのクロスポイント部５１とミックスエフェクト部２１内のキーヤー５３〜５６，セレクタ２，３，スイッチ６１〜６４，ミキサー６５とは、図１や図７と同一構成なので同一符号を付している。
【００８１】
スイッチャーに入力する複数系統の映像信号ＶｉｄｅｏＩｎ１〜Ｎのうち、クロスポイント部（任意の１系統の入力映像信号を選択するスイッチの集合）５１でキーイングのために選択された信号Ｋｅｙ１〜４が、ミックスエフェクト部２１内のキーヤー５３〜５６に送られる。信号Ｋｅｙ１〜４は、各々が、前景映像である映像信号と、前景映像と背景映像との合成比率である濃度（アルファ）を示すキー信号とを含んでいる。  
【００８２】
また、クロスポイント部５１で背景映像として選択された映像信号ＢＫＧＤ_Ａ及びＢＫＧＤ_Ｂが、ミックスエフェクト部２１内のミキサー６５に送られる。
【００８３】
キーヤー５３〜５６は、互いに同一の回路であり、信号Ｋｅｙ１〜４に対し、キー信号の濃度の調整や、前景映像と背景映像との境界線の調整等を行う。キーヤー５３〜５６で調整された信号Ｋｅｙ１〜４は、２入力１出力のスイッチ６１〜６４の一方の入力端に送られる。また、キーヤー５３，５４から、信号Ｋｅｙ１，２が２入力２出力のセレクタ２の一方ずつの入力端に送られ、キーヤー５５，５６から、信号Ｋｅｙ３，４が２入力２出力のセレクタ３の一方ずつの入力端に送られる。
【００８４】
セレクタ２の各出力端からは、リサイザ２２の２つの入力端の一方ずつに信号が送られる。また、セレクタ３の各出力端からは、リサイザ２３の２つの入力端の一方ずつに信号が送られる。
【００８５】
リサイザ２２，２３は、互いに同一の回路である。図１０は、代表的にリサイザ２２の構成例を示すブロック図であり、図２に示した従来のリサイザと共通して設けられる回路には同一符号を付すとともに、図２のリサイザに対して新たに追加した回路には斜線を付している。また、新たに追加した回路のうち、図８に示したリサイザ４と共通して設けられる回路には同一符号を付している。破線の内側の部分は、高速に動作する１個のＦＰＧＡまたはＡＳＩＣで作成されている。
【００８６】
セレクタ２からリサイザ２２の２つの入力端に入力した信号（それぞれ信号Ｋｅｙ１か信号Ｋｅｙ２かのいずれか）は、マルチプレクサ３１に送られる。マルチプレクサ３１は、この２つの入力端からの信号（Ｃｈ１，Ｃｈ２の信号とする）を時間軸多重した多重信号を生成する回路である。図１１は、マルチプレクサ３１での時間軸多重の様子を示す図である。図１１Ａに示すような、２つの入力端からのＣｈ１，Ｃｈ２の信号を、図１１Ｂに示すようにそれぞれ周波数を倍速化した後、図１１Ｃに示すように、Ｃｈ１とＣｈ２とをフィールド単位で時間軸多重する。
【００８７】
マルチプレクサ３１で生成された多重信号は、水平方向モザイク等回路１１、アンチエイリアス用ＬＰＦ７１、ＨＶスキャンコンバータ７２及び外部メモリ７３、垂直方向モザイク等回路１２、アンチエイリアス用ＬＰＦ７４を順に経た後、合成回路１３に送られるとともに遅延回路３２に送られる。
【００８８】
遅延回路３２は、この多重信号を、Ｃｈ１とＣｈ２との多重単位時間である１フィールド分の時間だけ遅延させる回路である。遅延回路３２で遅延された多重信号は、合成回路１３に送られる。これにより、合成回路１３には、図１２に示すように、同じ多重信号が、Ｃｈ１とＣｈ２との位相を揃えた２つの多重信号として入力される。
【００８９】
この合成回路１３を経由した多重信号は、垂直方向移動・縮小回路７５、ＶＨスキャンコンバータ７６及び外部メモリ７７、水平方向移動・縮小回路７８を順に経て、デマルチプレクサ３３に送られる。デマルチプレクサ３３は、マルチプレクサ３１とは逆の処理を行って、元の周波数のＣｈ１，Ｃｈ２の２つの信号を分離する回路である。
【００９０】
なお、ここではマルチプレクサ３１がフィールド単位で時間軸多重を行うものとして説明したが、別の例として、マルチプレクサ３１がピクセル単位で時間軸多重を行ってもよい。その場合には、遅延回路３２の遅延量を、１ピクセル分の時間にすればよい。
【００９１】
このリサイザ２２は、図２に示した従来のリサイザに対して、アンチエイリアス用ＬＰＦや外部メモリといった回路規模の増大につながる回路は追加されておらず、しかも、図８に示したリサイザ４のように２系統の回路ブロックを設けるのではなく１系統の回路なので、リサイザ４よりも一層小規模な回路になっている。
【００９２】
デマルチプレクサ３３で分離された後、リサイザ２２から出力された信号は、Ｃｈ１が図９のスイッチ６１の残りの一方の入力端に送られ、Ｃｈ２が図９のスイッチ６２の残りの一方の入力端に送られる。同様にして、リサイザ２３から出力された信号は、スイッチ６３，６４の残りの一方の入力端に送られる。そして、スイッチ６１〜６４で選択された信号が、ミキサー６５に送られる。
【００９３】
次に、このミックスエフェクト部１において、リサイザ２２やリサイザ２３でモザイク等を施す場合の処理と、リサイザ２２やリサイザ２３でモザイク等を施さずに画像サイズや画面上の位置を変更する場合の処理とを、代表的にリサイザ２２について説明する。なお、以下に説明する処理は、スイッチャーに付属した操作パネルの操作に基づき、スイッチャー内のマイクロコンピュータがミックスエフェクト部２１内の各部を制御することによって実行されるものであるが、操作パネルでの操作方法自体には特徴はないので、その図示等は省略する。
【００９４】
<モザイク等を施す場合>
リサイザ２２でモザイク等を施す場合には、セレクタ２で、２つの出力端から出力する信号として、同じ信号（キーヤー５３からの信号Ｋｅｙ１か、キーヤー５４からの信号Ｋｅｙ２のいずれか一方のみ）を選択する。これにより、リサイザ２２の２つの入力端には同じ信号が入力されるので、リサイザ２２内のマルチプレクサ３１では、同じ信号が、図１１に示したＣｈ１，Ｃｈ２として時間軸多重される。なお、以下では、セレクタ２で信号Ｋｅｙ１を選択したものとして説明を行うが、信号Ｋｅｙ２を選択した場合でも処理は同様である。
【００９５】
モザイク等を施す場合、水平方向モザイク等回路１１，垂直方向モザイク等回路１２には、Ｃｈ１に効果を施させるコマンドと、Ｃｈ２に効果を施させるコマンドとが、Ｃｈ１，Ｃｈ２と同様に時間軸多重されて供給される。
【００９６】
マルチプレクサ３１で生成された多重信号は、水平方向モザイク等回路１１によってモザイク，デフォーカスまたはポスタリゼーション（操作パネルでＣｈ１，Ｃｈ２毎に指定された効果であり、信号Ｋｅｙ１中の映像信号のみに効果を施すか映像信号及びキー信号の両方に効果を施すかも、効果の種類等に応じて操作パネルで任意に指定される）を水平方向に施され、アンチエイリアス用ＬＰＦ７１を経て、ＨＶスキャンコンバータ７２によって外部メモリ７３を用いて走査方向を水平方向から垂直方向に変換され、垂直方向モザイク等回路１２によって水平方向モザイク等回路１１と同じ効果を垂直方向に施され、さらにアンチエイリアス用ＬＰＦ７４を経て、直接合成回路１３に送られるとともに、遅延回路３２で遅延されて合成回路１３に送られる。
【００９７】
合成回路１３は、この２つの多重信号（同じ信号Ｋｅｙ１をＣｈ１，Ｃｈ２として時間軸多重したものであって、Ｃｈ１とＣｈ２とで互いに独立してモザイク，デフォーカスまたはポスタリゼーションを施された後、図１２に示したようにＣｈ１とＣｈ２との位相を揃えられたもの）を、マスク信号を用いて合成する。すなわち、マスク信号の内側の部分（ＬＰＦ７４からの多重信号の合成比率が１である部分）では、ＬＰＦ７４からの多重信号を出力し、マスク信号の外側の部分（ＬＰＦ７４からの多重信号の合成比率が０である部分）では、遅延回路３２からの多重信号を出力する。
【００９８】
合成回路１３で合成された多重信号は、垂直方向移動・縮小回路７５を経由し（操作パネルで指定された場合には、Ｃｈ１についてのコマンドとＣｈ２についてのコマンドとが時間軸多重されて垂直方向移動・縮小回路７５に供給されることによって移動・縮小処理を施され）、ＶＨスキャンコンバータ７６によって外部メモリ７７を用いて走査方向を垂直方向から水平方向に戻され、水平方向移動・縮小回路７８を経由し（操作パネルで指定された場合には、Ｃｈ１についてのコマンドとＣｈ２についてのコマンドとが時間軸多重されて水平方向移動・縮小回路７８に供給されることによって移動・縮小処理を施され）、デマルチプレクサ３３でＣｈ１，Ｃｈ２の２つの信号Ｋｅｙ１に分離される。
【００９９】
モザイク等を施す場合には、リサイザ２２は、デマルチプレクサ３３で分離されたＣｈ１，Ｃｈ２の信号のうち、Ｃｈ１の信号のみを外部に出力し、Ｃｈ２の信号を外部に出力ない(したがって、スイッチ６１にはＣｈ１の信号を送るが、スイッチ６２には信号を送らない)。
【０１００】
スイッチ６１，６２は、それぞれリサイザ２２側の信号を選択してミキサー６５に送る。リサイザ２２からスイッチ６２へは無信号となるので、スイッチ６１だけからミキサー６５に信号Ｋｅｙ１が送られることになる。
【０１０１】
ミキサー６５は、このスイッチ６１からの信号Ｋｅｙ１を用いて、背景映像に前景映像を合成する。
【０１０２】
このように、リサイザ２２が同じ信号Ｋｅｙ１を時間軸多重して処理することにより、モザイクやデフォーカスやポスタリゼーションをかけた１系統の前景映像が、背景映像に合成される。
【０１０３】
また、水平方向モザイク等回路１１，垂直方向モザイク等回路１２に、Ｃｈ１についてのコマンドとＣｈ２についてのコマンドとを時間軸多重して供給することにより、マスク信号の内側の部分と外側の部分とにそれぞれモザイクやデフォーカスやポスタリゼーションをかける（例えば、マスク信号の内側の部分にはモザイクをかけマスク信号の外側の部分にはデフォーカスをかける）といったようなより複雑な効果をかけた前景映像を、背景映像に合成することができる。
【０１０４】
ここではリサイザ２２について説明したが、リサイザ２３についても同じ処理を行うことにより、それぞれモザイクやデフォーカスやポスタリゼーションをかけた２系統の前景映像を、背景映像に合成することができる。
【０１０５】
<モザイク等を施さず画像サイズや画面上の位置を変更する場合>
リサイザ２２でモザイク等を施さず画像サイズや画面上の位置を変更する場合には、セレクタ２で、２つの出力端から出力する信号として、キーヤー５３からの信号Ｋｅｙ１と、キーヤー５４からの信号Ｋｅｙ２との一方ずつを選択する。これにより、これにより、リサイザ２２の２つの入力端には別々の信号が入力されるので、リサイザ２２内のマルチプレクサ３１では、別々の信号が、図１１に示したＣｈ１，Ｃｈ２として時間軸多重される。なお、以下では、信号Ｋｅｙ１がＣｈ１となり信号Ｋｅｙ２がＣｈ２となるような選択を行ったものとして説明を行うが、信号Ｋｅｙ１がＣｈ２となり信号Ｋｅｙ２がＣｈ１となるような選択を行った場合でも処理は同様である。
【０１０６】
モザイク等を施さない場合、リサイザ２２では、水平方向モザイク等回路１１，垂直方向モザイク等回路１２及び合成回路１３が、本来の動作を行わず、入力した信号（合成回路１３ではアンチエイリアス用ＬＰＦ７４からの信号）をそのまま通過させる状態にされる。また、垂直方向移動・縮小回路７５，水平方向移動・縮小回路７８には、Ｃｈ１についてのコマンドとＣｈ２についてのコマンドとが時間軸多重されて供給される。
【０１０７】
マルチプレクサ３１で生成された多重信号は、水平方向モザイク等回路１１及びアンチエイリアス用ＬＰＦ７１を経て、ＨＶスキャンコンバータ７２によって外部メモリ７３を用いて走査方向を水平方向から垂直方向に変換され、垂直方向モザイク等回路１２，アンチエイリアス用ＬＰＦ７４及び合成回路１３を経て、垂直方向移動・縮小回路７５で垂直方向の移動・縮小処理を施され、ＶＨスキャンコンバータ７６によって外部メモリ７７を用いて走査方向を垂直方向から水平方向に戻され、水平方向移動・縮小回路７８で水平方向の移動・縮小処理を施され、デマルチプレクサ３３でＣｈ１の信号Ｋｅｙ１とＣｈ２の信号Ｋｅｙ２とに分離される。
【０１０８】
デマルチプレクサ３３で分離されたＣｈ１の信号Ｋｅｙ１，Ｃｈ２の信号Ｋｅｙ２は、それぞれリサイザ２２から出力されて、スイッチ６１，６２に送られる。
【０１０９】
スイッチ６１，６２は、それぞれリサイザ２２側の信号を選択してミキサー６５に送る。
【０１１０】
ミキサー６５は、スイッチ６１からの信号Ｋｅｙ１を用いて背景映像に前景映像を合成するとともに、スイッチ６２からの信号Ｋｅｙ２を用いて背景映像に前景映像を合成する。
【０１１１】
このように、リサイザ２２が信号Ｋｅｙ１と信号Ｋｅｙ２とを時間軸多重して処理することにより、モザイク等を施さずに画像サイズや画面上の位置を変更した２系統の前景映像が、背景映像に合成される。
【０１１２】
ここではリサイザ２２について説明したが、リサイザ２３についても同じ処理を行うことにより、モザイク等を施さずに画像サイズや画面上の位置を変更した４系統の前景映像を、背景映像に合成することができる。
【０１１３】
以上に説明したように、このミックスエフェクト部２１では、画面の一部を対象とする効果であるモザイク等を前景映像に施す際には、リサイザ２２やリサイザ２３の２系統の入力端に同じ信号を入力させて、前景映像にモザイク等を施すことができる。
【０１１４】
これらのリサイザは、図８に示したリサイザ４のように２系統の回路ブロックを設けるのではなく１系統の回路なので、回路規模が一層小さくて済む。
【０１１５】
また、マスク信号の内側の部分と外側の部分とにそれぞれモザイク，デフォーカスまたはポスタリゼーションをかけるといった、より複雑な効果をかけることができる。
【０１１６】
そして、画面全体を対象とする効果である画像サイズや画面上の位置の変更を前景映像に施す際には、リサイザ２２，２３の各入力端にそれぞれ別々の信号を入力させて、４系統（図１に示したミックスエフェクト部５２と同じ系統数）の前景映像の画像サイズや画面上の位置を変更することができる。
【０１１７】
これにより、よく使われる機能である画像サイズや画面上の位置の変更を施すことのできる前景映像の系統数を減らすことなく、前景映像にモザイク等を施す機能を、図７に示したミックスエフェクト部１よりも一層小規模な回路で実現し、しかもより複雑な効果をかけることができる。
【０１１８】
また、モザイク等を施すことのできる前景映像の系統数は本例のようにキーヤーが４個である場合は最大で２系統（リサイザ２２，２３でそれぞれ１系統ずつ）であるが、〔発明が解決しようとする課題〕欄で述べたように、ミックスエフェクト部全体で１系統または２系統の前景映像にモザイク等を施すことができれば十分なので、機能と系統数とのバランスがとれたミックスエフェクト部が実現されている。
【０１１９】
なお、以上に説明した第１，第２のミックスエフェクト部では、マスク信号を用いた合成処理を必要とする効果（すなわち画面の一部を対象とする効果）として、モザイクやデフォーカスやポスタリゼーションを施している。しかし、画面の一部を対象とする効果としては、他に、画面の一部に色補正を施すといったものも存在するので、そのような色補正を施すためにも本発明を適用してよい。
【０１２０】
また、以上の例ではスイッチャーの一部を成すミックスエフェクト部に本発明を適用しているが、本発明は、ミックスエフェクト部以外の画像処理装置において画面の一部を対象とする効果を施すためにも適用してよい。
【図面の簡単な説明】
【０１２１】
【図１】従来のミックスエフェクト部の構成例を示すブロック図である。
【図２】図１のリサイザの構成例を示すブロック図である。
【図３】図１のミックスエフェクト部の出力映像を例示する図である。
【図４】前景映像の一部にモザイクをかける例を示す図である。
【図５】図２に示した構成の個々のリサイザにモザイク等のための回路を追加した例を示すブロック図である。
【図６】マスク信号を用いた合成の様子を例示する図である。
【図７】本発明を適用した第１のミックスエフェクト部の構成例を示すブロック図である。
【図８】図７のリサイザの構成例を示すブロック図である。
【図９】本発明を適用した第２のミックスエフェクト部の構成例を示すブロック図である。
【図１０】図９のリサイザの構成例を示すブロック図である。
【図１１】図１０のマルチプレクサでの映像信号の時間軸多重の様子を示す図である。
【図１２】図１０の合成回路に入力される２つの多重信号の位相関係を示す図である。
【符号の説明】
【０１２２】
１  ミックスエフェクト部、  ２，３  セレクタ、  ４，５  リサイザ、  ４ａ，４ｂ，５ａ，５ｂ  リサイザの回路ブロック、  １１  水平方向モザイク等回路、  １２  垂直方向モザイク等回路、  １３  合成回路、  １４  水平方向モザイク等回路、  １５  垂直方向モザイク等回路、  ２１  ミックスエフェクト部、  ２２，２３  リサイザ、  ３１  マルチプレクサ、  ３２  遅延回路、  ３３  デマルチプレクサ、  ７１  アンチエイリアス用ＬＰＦ、  ７２  ＨＶスキャンコンバータ、  ７３  外部メモリ、  ７４  アンチエイリアス用ＬＰＦ、  ７５  垂直方向移動・縮小回路、  ７６  ＶＨスキャンコンバータ、  ７７  外部メモリ、  ７８  水平方向移動・縮小回路
【図１】
2008124749.tif 000003
【図２】
2008124749.tif 000004
【図４】
2008124749.tif 000005
【図５】
2008124749.tif 000006
【図６】
2008124749.tif 000007
【図７】
2008124749.tif 000008
【図８】
2008124749.tif 000009
【図９】
2008124749.tif 000010
【図１０】
2008124749.tif 000011
【図１１】
2008124749.tif 000012
【図１２】
2008124749.tif 000013
【図３】
2008124749.tif 000014